(57)【要約】【課題】結び紐を片手で結んで両前身ごろを閉じることができ、片手が不自由な人でも介護の人や家族の手を借りることなく簡単に着用することができる衣服を提供する。【解決手段】衣服１の一方前身ごろ２における後ろ身ごろ４との縫合部分の外面側と襟縁とにそれぞれ結び紐７、８が縫着され、他方前身ごろ３には、後ろ身ごろ４との縫合部分の内面側と襟縁とに、ループ部材９，１０と結び紐１１、１２がそれぞれ縫着され、対応するループ部材９又は１０に通した結び紐７又は８でループ部材９又は１０に絡む結び目を片手の操作で形成して両前身ごろ２と３を閉じる。【選択図】図２
0003106219.tif 000002
【実用新案登録請求の範囲】
【請求項１】
上衣の両前身ごろを結び紐で閉じるようにした衣服において、一方前身ごろ側に結び紐を縫着し、他方前身ごろ側に上記結び紐を挿通するためのループ部材を縫着したことを特徴とする衣服。
【請求項２】
前記衣服が、一方前身ごろの前面に他方前身ごろが重なるダブル形状の上衣に縫製され、前記一方前身ごろにおける後ろ身ごろとの縫合部分の外面側と襟縁とにそれぞれ結び紐が縫着され、他方前身ごろには、後ろ身ごろとの縫合部分の内面側と襟縁とに、ループ部材と結び紐がそれぞれ縫着されていることを特徴とする請求項１に記載の衣服。
【請求項３】
前記衣服の襟における胸元部分で互いに重なり合う位置に、一方側にボタンと他方側にこのボタンをかけるボタンホールを設けたことを特徴とする請求項１又は２に記載の衣服。
【考案の詳細な説明】
【技術分野】
【０００１】
この考案は、例えば、病院での上衣や寝間着等として着用するための結び紐式の衣服、更に詳しくは、両側前身ごろを閉じる結び紐を片手で結ぶことができるようにし、病気や怪我で片手が不自由な人でも簡単に着用することができる衣服に関する。
【背景技術】
【０００２】
従来、病院での入院患者や家庭で療養している人が寝間着としたり、起きたときに着用するために提案されている上衣として、衣服の両側前身ごろにそれぞれ結び紐を縫着し、衣服を着用して両側の結び紐を互いに結ぶことにより、両側前身ごろを閉じるような構造のものが知られている。
【考案の開示】
【考案が解決しようとする課題】
【０００３】
ところで、病院での入院患者や家庭で療養している人において、病気や怪我で片手が不自由な人が案外に多く、このため、上記のような、両側前身ごろにそれぞれ縫着した結び紐を結ぶようにした上衣では、片手で両側の結び紐を結ぶことが非常に困難であり、実際には上衣の着用に介護の人や家族の手を借りなければならないという不便がある。
【０００４】
そこで、この考案の課題は、結び紐を片手で結んで両前身ごろを閉じることができるようにし、片手が不自由な人でも介護の人や家族の手を借りることなく簡単に着用することができる衣服を提供することにある。
【課題を解決するための手段】
【０００５】
上記のような課題を解決するため、この考案は、上衣の両前身ごろを結び紐で閉じるようにした衣服において、一方前身ごろ側に結び紐を縫着し、他方前身ごろ側に上記結び紐を挿通するためのループ部材を縫着した構成を採用したものである。
【０００６】
前記衣服が、一方前身ごろの前面に他方前身ごろが重なるダブル形状の上衣に縫製され、前記一方前身ごろにおける後ろ身ごろとの縫合部分の外面側と襟縁とにそれぞれ結び紐が縫着され、他方前身ごろには、後ろ身ごろとの縫合部分の内面側と襟縁とに、ループ部材と結び紐がそれぞれ縫着されている構造とすることができる。
【０００７】
上記のような衣服を着用するときは、両前身ごろを重ねるようにして結び紐を片手で摘んで対応するループ部材に通し、この結び紐で輪を作るようにしてその先端を輪に通すようにし、先端を指先で引けばループ部材に絡む結び目ができ、衣服の前身ごろを閉じることができる。
【０００８】
また、衣服の襟における胸元部分で互いに重なり合う位置に、一方側にボタンと他方側にこのボタンをかけるボタンホールを設けることもできる。
このように、胸元部分に設けたボタンをボタンホールにかけると、胸元部分がはだけることがなく、胸元が気にならなくなる。
【考案の効果】
【０００９】
この考案によると、上衣の両側前身ごろを結び紐で閉じるようにした衣服の一方前身ごろ側に結び紐を縫着し、他方前身ごろ側に上記結び紐を挿通するためのループ部材を縫着したので、結び紐をループ部材に挿通してこのループ部材に絡む結び目を形成する作業が片手で行え、従って、両前身ごろを片手で閉じることができ、片手が不自由な人でも介護の人や家族の手を借りることなく自分で簡単に着用することができる。
【００１０】
また、衣服の襟における胸元部分に設けたボタンをボタンホールにかけることで襟の胸元部分を閉じることができ、胸元を気にせずに着用することができる。
【考案を実施するための最良の形態】
【００１１】
以下、この考案の実施の形態を図示例と共に説明する。
【００１２】
図示のように、この考案の衣服１は、病院での入院患者や家庭で療養している人が寝間着としたり、起きたときに着用するための上衣として用いるものであり、例えば、綿７０％、テトロン３０％の質感と通気性の良い素材を用い、両側前身ごろ２、３と後身ごろ４及び袖５、５を有し、一方前身ごろ２の前面に他方前身ごろ３が重なるダブル形状に縫製され、後身ごろ４の上部から両前身ごろ２、３の端縁に沿って襟６が設けられている。
【００１３】
前記一方前身ごろ２における後ろ身ごろ４との縫合部分の外面側と襟６の縁とには、腰に該当する程度の位置に、それぞれ所定の長さを有する結び紐７、８が縫着され、また、他方前身ごろ３における後ろ身ごろ４との縫合部分の内面側と襟縁とには、腰に該当する程度の位置に、ループ部材９、１０とその下部に所定の長さを有する結び紐１１、１２がそれぞれ縫着されている。
【００１４】
上記結び紐７、８、１１、１２は、衣服と同様の布地を用いて帯状に縫製され、その一端側を衣服１の上記各位置に縫着することにより取り付けられ、同じくループ部材９、１０は、衣服１と同様の布地を用いて形成した細い紐を略半円形にして、その両端を衣服１の上記各位置に縫着することにより取り付けられている。
【００１５】
なお、他方前身ごろ３の襟縁下部のループ部材１０は、襟縁から突出するように取り付けておくと結び紐８の挿通が行い易いという利点がある。
【００１６】
上記衣服１の襟６における胸元部分で互いに重なり合う位置に、一方側にボタン１３と他方側にこのボタン１３をかけるボタンホール１４を設け、ボタン１３をボタンホール１４にかけることで胸元部分を閉じることができるようにしている。
【００１７】
この考案の衣服は、上記のような構成であり、この衣服１を着用して両前身ごろ２、３を閉じるには、左側の一方前身ごろ２の前に右側の他方前身ごろ３を臨ませ、先ず、一方前身ごろ２の襟縁に縫着した結び紐７を片手で摘み、図３のように、他方前身ごろ３の後ろ身ごろ４との縫合部分の内面側に縫着したループ部材９に挿通し、この結び紐７で輪を作るようにしてその先端を輪に通すようにし、次に、結び紐７の先端を指先で引けば、図４のようにループ部材９に絡む結び目Ａができ、一方前身ごろ２の襟縁側を他方前身ごろ３に対して取り付けることができる。
【００１８】
また、一方前身ごろ２の後ろ身ごろ４との縫合部分に縫着した結び紐８を片手で摘み、この結び紐８を他方前身ごろ３の襟縁に縫着したループ部材１０に挿通して上記と同様にこのループ部材１０に絡む結び目を形成すれば、他方前身ごろ３の襟縁側を一方前身ごろ２に対して取り付けることができ、これによって、図１のような両前身ごろ２、３を閉じた着用状態になる。
【００１９】
この着用状態で、ボタン１３をボタンホール１４にかけることで襟６の胸元部分を閉じることができる。
【００２０】
なお、図示の衣服１は、一方前身ごろ２の前面に他方前身ごろ３が重なるダブル形状に縫製したが、両前身ごろ２、３を身体の前で合わすシングル形状に縫製されたものでもよく、この場合は、両前身ごろの襟縁における一方に結び紐と他方にループ部材を縫着した構造とすればよい。
【００２１】
また、両手が使える人は、両前身ごろ２、３の対応する位置にある結び紐７と１１、８と１２を互いに結ぶことによって両前身ごろ２、３を閉じればよい。
【図面の簡単な説明】
【００２２】
【図１】この考案に係る衣服の前身ごろを閉じた状態を示す正面図
【図２】この考案に係る衣服の前身ごろを開いた状態を示す正面図
【図３】結び紐をループ部材に挿通して輪を作った状態の斜視図
【図４】結び紐でループ部材に絡む結び目を作った状態の斜視図
【符号の説明】
【００２３】
１      衣服
２      一方前身ごろ
３      他方前身ごろ
４      後身頃
５      袖
６      襟
７      結び紐
８      結び紐
９      ループ部材
１０    ループ部材
１１    結び紐
１２    結び紐
１３    ボタン
１４    ボタンホール
【図１】
0003106219.tif 000003
【図２】
0003106219.tif 000004
【図３】
0003106219.tif 000005
【図４】
0003106219.tif 000006